(57)【要約】      （修正有）【課題】切れ味の低下を長期間に亘って防止することができる除草用回転刃を提供する。【解決手段】刈払機に取り付けられ、刈払機の駆動部によって回転軸線Ｌ１周りに回転駆動される基部１と、基部の外周縁１２に形成され、回転方向に並ぶ複数の刃ユニット２と、を備え、各刃ユニットは、回転軸線と直交する方向から見て回転方向に並ぶ複数の刃を有し、且つ複数の刃のうち最も回転逆方向Ｒ２側に位置する刃よりも回転順方向Ｒ１側に位置する刃は、刃の回転逆方向側に隣り合う刃よりも回転軸線を中心とする径方向内側に配設されている。【選択図】図２
0003217662.tif 000002
【実用新案登録請求の範囲】
【請求項１】
刈払機に取り付けられ、該刈払機の駆動部によって回転軸線周りに回転駆動される基部と、
前記基部の外周縁に形成され、回転方向に並ぶ複数の刃ユニットと、を備え、
各前記刃ユニットは、前記回転軸線と直交する方向から見て回転方向に並ぶ複数の刃を有し、且つ前記複数の刃のうち最も回転逆方向側に位置する前記刃よりも回転順方向側に位置する前記刃は、該刃の回転逆方向側に隣り合う前記刃よりも前記回転軸線を中心とする径方向内側に配設されている、除草用回転刃。
【請求項２】
前記複数の刃は、直線状に並び、且つ各前記刃は、前記回転軸線を中心とする径方向において内側から外側に向かうに従って薄くなるテーパー状に形成されている、請求項１に記載の除草用回転刃。
【請求項３】
前記複数の刃ユニットのうち隣り合う前記刃ユニットの間に配設された案内部を複数更に備え、
各前記案内部は、前記基部の外周縁に形成され、前記回転軸線と直交する方向から見て回転逆方向に伸延し且つ前記回転軸線を中心とする径方向において内側に向かって傾斜して伸延する第１傾斜部と、前記第１傾斜部の回転逆方向側の端部に連なり、前記回転軸線と直交する方向から見て回転逆方向に伸延し且つ前記回転軸線を中心とする径方向において内側に向かって傾斜して伸延する第２傾斜部と、を有し、該第２傾斜部の前記回転軸線を中心とする円周方向に対する傾斜角は、前記第１傾斜部の前記回転軸線を中心とする円周方向に対する傾斜角よりも大きく構成されている、請求項１又は２に記載の除草用回転刃。
【請求項４】
各前記刃は、前記回転軸線と直交する方向から見て回転順方向に伸延し且つ前記回転軸線を中心とする径方向において外側に向かって伸延する背部と、前記背部の先端から前記回転軸線を中心とする径方向において内側に向かって伸延する当たり部とを有し、
各前記刃ユニットの前記複数の刃のうち最も回転順方向側に位置する前記刃の前記背部と前記当たり部とが成す角の角度は、該複数の刃のその他の前記刃の前記背部と前記当たり部とが成す角の角度よりも大きく構成されている、請求項３に記載の除草用回転刃。
【請求項５】
各前記刃ユニットの前記複数の刃のうち最も回転逆方向側に位置する刃は、前記案内部よりも前記回転軸線を中心とする径方向外側に配設されている、請求項３又は４に記載の除草用回転刃。
【考案の詳細な説明】
【技術分野】
【０００１】
本考案は、除草用回転刃に関する。
【背景技術】
【０００２】
従来から草刈り機用ブレードが知られている（例えば特許文献１参照）。
【０００３】
この草刈り機用ブレードは、草刈り機の回転軸に取り付け可能な取付基部の外周には切刃を有する複数の大型刃部が円周方向の等間隔角度毎に半径方向外方に伸びて設けられている。これによって、雑草等を大型刃部の切刃で切断することができる。また、長期使用により大型刃部の切刃が摩耗すれば、研磨修理して長期使用することができる。
【先行技術文献】
【特許文献】
【０００４】
【特許文献１】実開平７―３０００６号公報
【考案の概要】
【考案が解決しようとする課題】
【０００５】
しかし、特許文献１に記載の草刈り機用ブレードは、研磨修理作業を行うための道具を別途を揃える必要があり、研磨修理作業を外部の者に委託するために多額の費用を要する場合があり、切刃が摩耗したときは、研磨修理作業を行うことなく短期間で廃棄され、買い替えられる場合があるという問題があった。
【課題を解決するための手段】
【０００６】
上記課題を解決するため、本考案のある態様に係る除草用回転刃は、刈払機に取り付けられ、該刈払機の駆動部によって回転軸線周りに回転駆動される基部と、前記基部の外周縁に形成され、回転方向に並ぶ複数の刃ユニットと、を備え、各前記刃ユニットは、前記回転軸線と直交する方向から見て回転方向に並ぶ複数の刃を有し、且つ前記複数の刃のうち最も回転逆方向側に位置する前記刃よりも回転順方向側に位置する前記刃は、該刃の回転逆方向側に隣り合う前記刃よりも前記回転軸線を中心とする径方向内側に配設されている。
【０００７】
この構成によれば、使用によって、刃ユニットの複数の刃のうち、一の刃の摩耗が進行すると、この刃の回転順方向側に隣り合う刃の刃先が次第に突出し、この新たに突出した刃によって雑草等を切断することができる。このように、摩耗した刃の回転順方向側に隣り合う刃の刃先が順番に突出するので、切れ味の低下を長期間に亘って防止することができる。
【０００８】
前記複数の刃は、直線状に並び、且つ各前記刃は、前記回転軸線を中心とする径方向において内側から外側に向かうに従って薄くなるテーパー状に形成されていてもよい。
【０００９】
この構成によれば、各刃ユニットの刃の切れ味を容易に向上させることができる。
【００１０】
前記複数の刃ユニットのうち隣り合う前記刃ユニットの間に配設された案内部を複数更に備え、各前記案内部は、前記基部の外周縁に形成され、前記回転軸線と直交する方向から見て回転逆方向に伸延し且つ前記回転軸線を中心とする径方向において内側に向かって傾斜して伸延する第１傾斜部と、前記第１傾斜部の回転逆方向側の端部に連なり、前記回転軸線と直交する方向から見て回転逆方向に伸延し且つ前記回転軸線を中心とする径方向において内側に向かって傾斜して伸延する第２傾斜部と、を有し、該第２傾斜部の前記回転軸線を中心とする円周方向に対する傾斜角は、前記第１傾斜部の前記回転軸線を中心とする円周方向に対する傾斜角よりも大きく構成されていてもよい。
【００１１】
この構成によれば、除草作業時の小石等の跳ね飛ばしを効果的に低減することができる。
【００１２】
各前記刃は、前記回転軸線と直交する方向から見て回転順方向に伸延し且つ前記回転軸線を中心とする径方向において外側に向かって伸延する背部と、前記背部の先端から前記回転軸線を中心とする径方向において内側に向かって伸延する当たり部とを有し、各前記刃ユニットの前記複数の刃のうち最も回転順方向側に位置する前記刃の前記背部と前記当たり部とが成す角の角度は、該複数の刃のその他の前記刃の前記背部と前記当たり部とが成す角の角度よりも大きく構成されていてもよい。
【００１３】
この構成によれば、基部の破損を防止することができる。
【００１４】
各前記刃ユニットの前記複数の刃のうち最も回転逆方向側に位置する刃は、前記案内部よりも前記回転軸線を中心とする径方向外側に配設されていてもよい。
【００１５】
この構成によれば、刃と雑草等をより確実に接触させ、除草作業の作業効率を向上させることができる。
【考案の効果】
【００１６】
本考案は、切れ味の低下を長期間に亘って防止することができるという効果を奏する。
【図面の簡単な説明】
【００１７】
【図１】本考案の実施の形態１に係る除草用回転刃を装着した刈払機の構成例を示す斜視図である。
【図２】図１の除草用回転刃の構成例を示す底面図である。
【図３】図１の除草用回転刃の構成例を示す要部拡大平面図である。
【図４】本考案の実施の形態２に係る除草用回転刃の構成例を示す平面図である。
【図５】本考案の実施の形態３に係る除草用回転刃の構成例を示す平面図である。
【考案を実施するための形態】
【００１８】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１９】
（実施の形態１）
図１は、本考案の実施の形態１に係る除草用回転刃１００を装着した刈払機１１０の構成例を示す斜視図である。
【００２０】
図１に示すように、本実施の形態の除草用回転刃１００は、刈払機１１０の先端部に取り付けられて、例えば、畑（作業対象面）の除草作業に用いられる。
【００２１】
刈払機１１０は、基端部に図示しない駆動部が設けられ、先端部にギヤケース１１１が設けられている。そして、駆動部とギヤケース１１１とを中空円筒状の杆１１２が連結している。杆１１２の内部には、駆動部によって回転駆動される図示しない伝達軸が杆１１２に対して回動自在に設けられている。また、ギヤケース１１１の内部には、伝達軸の先端部と連結された図示しない装着軸がギヤケース１１１に対して回動自在に設けられている。そして、除草用回転刃１００は、取付部材１１３を介して装着軸に固定される。そして、駆動部の駆動力により装着軸がその回転軸線Ｌ周りに回転駆動されることによって、装着軸に固定されている除草用回転刃１００は、回転軸線Ｌ周りに所定の回転方向に回転駆動される。以下、この除草用回転刃１００が刈払機１１０によって回転駆動されたときの回転方向を回転順方向Ｒ１ということがあり、回転順方向と反対方向を回転逆方向Ｒ２ということがある。また、以下では、除草用回転刃１００の使用時に地面に向かう方向を下といい、地面から離れる方向を上ということがある。刈払機１１０は、周知の刈払機で構成されるのでこれ以上の説明を省略する。
【００２２】
図２は、除草用回転刃１００の構成例を示す底面図である。
【００２３】
図２に示すように、除草用回転刃１００は、基部１と、複数の刃ユニット２とを備える。また、除草用回転刃１００は、複数の刃ユニット２のうち、隣り合う刃ユニット２の間に配設された案内部３を複数有する。
【００２４】
基部１は、刈払機１１０に取り付けられ、刈払機１１０の駆動部によって回転軸線Ｌ回りに回転駆動される。
【００２５】
本実施の形態において、基部１は、例えば、大略円板状に形成されている。そして、基部１は、中央部に上面と下面とを接続する中心孔１１が形成されている。この中心孔１１は、回転軸線Ｌ上に形成されている。中心孔１１は、取付部材１１３が装着される孔である。
【００２６】
複数の刃ユニット２は、基部１の外周縁１２に形成され、回転方向に並んでいる。
【００２７】
本実施の形態において、刃ユニット２は、例えば、８つ形成され、基部１の外周縁１２に等間隔に配設されている。すなわち、８つの刃ユニット２は、回転軸線Ｌを中心とする４５度毎の回転対称となる位置に形成されている。
【００２８】
図３は、除草用回転刃１００の構成例を示す要部拡大平面図である。
【００２９】
図３に示すように、各刃ユニット２は、回転軸線Ｌと直交する方向から見て回転方向に並ぶ複数の刃を有する。すなわち、複数の刃は、外周縁１２上に一列に並んで設けられている。本実施の形態において、刃は、例えば、２１Ａ〜２１Ｅで図示する５つが形成されている。
【００３０】
そして、各刃ユニット２において、複数の刃２１Ａ〜２１Ｅのうち最も回転逆方向Ｒ２側に位置する刃２１Ａよりも回転順方向Ｒ１側に位置する刃２１Ｂ〜２１Ｅは、この刃に隣り合う刃よりも回転軸線Ｌを中心とする径方向内側に配設されている。すなわち、刃２１Ｂは刃２１Ａよりも回転軸線Ｌを中心とする径方向内側に配設され、刃２１Ｃは刃２１Ｂよりも回転軸線Ｌを中心とする径方向内側に配設され、刃２１Ｄは刃２１Ｃよりも回転軸線Ｌを中心とする径方向内側に配設され、刃２１Ｅは刃２１Ｄよりも回転軸線Ｌを中心とする径方向内側に配設されている。
【００３１】
そして、これら５つの刃２１Ａ〜２１Ｅは、直線状に並ぶように配設されている。本実施の形態において、刃２１Ａ〜２１Ｅは、仮想の直線Ｄ上に並ぶように配設されている。
【００３２】
各刃２１Ａ〜２１Ｅは、背部２２及び当たり部２３を有する。
【００３３】
背部２２は、回転軸線Ｌと直交する方向から見て回転順方向Ｒ１に伸延し、且つ回転軸線Ｌを中心とする径方向において外側に向かって伸延する。すなわち、背部２２は、外周縁１２に沿って回転順方向外側に向かって傾斜して設けられている。
【００３４】
当たり部２３は、背部２２の先端から回転軸線Ｌを中心とする径方向において内側に向かって伸延する。背部２２の先端と当たり部２３の基端とが成す角が刃２１Ａ〜２１Ｅの刃先２４を構成する。したがって、刃２１Ａ〜２１Ｅは、三角形状に形成され、各刃ユニット２の複数の刃２１Ａ〜２１Ｅは、全体として鋸刃状に形成されている。
【００３５】
そして、各刃ユニット２の複数の刃２１Ａ〜２１Ｅのうち、最も回転順方向Ｒ１側に位置する刃２１Ｅの背部２２と当たり部２３とが成す角の角度θ５は、その他の刃２１Ｂ〜２１Ｅの背部２２と当たり部２３とが成す角度θ１〜θ４よりも大きく形成されている。
【００３６】
また、各刃２１Ａ〜２１Ｅは、回転軸線Ｌを中心とする径方向において内側から外側に向かうにしたがって薄くなるテーパー状に形成されている。すなわち、各刃２１Ａ〜２１Ｅの上面は、水平方向に延在し、平坦に形成されている。また、各刃２１Ａ〜２１Ｅの下面は、回転軸線Ｌを中心とする径方向において内側から外側に向かうに従って上面に向かって近づくように傾斜している。これによって、刃２１Ａ〜２１Ｅの刃先２４を薄くすることができ、刃２１Ａ〜２１Ｅの切れ味を向上させることができる。また、製造時において、容易に刃２１Ａ〜２１Ｅの刃先２４を一括して薄く加工することができるので製造に有利である。なお、回転軸線Ｌを中心とする径方向において内側から外側に向かうに従って、刃２１Ａ〜２１Ｅの上面が下面に向かって近づくように傾斜するように構成してもよい。
【００３７】
図２に示すように、複数の案内部３は、それぞれ対応する各刃ユニット２の回転順方向Ｒ１側に位置し、８つ形成されている。すなわち、８つの案内部３は、回転軸線Ｌを中心とする４５度の毎の回転対称となる位置に形成されている。そして、図３に示すように、案内部３は、後述するように使用時において雑草等を刃ユニット２に向かって案内する。案内部３は、第１傾斜部３１及び第２傾斜部３２を有する。
【００３８】
第１傾斜部３１は、基部１の外周縁１２に形成され、回転軸線Ｌと直交する方向から見て回転逆方向Ｒ２に伸延し、且つ回転軸線Ｌを中心とする径方向において内側に向かって傾斜して伸延する。第２傾斜部３２は、第１傾斜部３１の回転逆方向Ｒ２側の端部に連なり、回転軸線Ｌと直交する方向から見て回転逆方向Ｒ２に伸延し、且つ回転軸線Ｌを中心とする径方向において内側に向かって傾斜して伸延する。すなわち、第１傾斜部３１及び第２傾斜部３２は、外周縁１２に沿って回転逆方向内側に向かって傾斜して設けられている。そして、第２傾斜部３２の回転軸線Ｌを中心とする円周方向に対する傾斜角θｂは、第１傾斜部３１の回転軸線Ｌを中心とする円周方向に対する傾斜角θａよりも大きく形成されている。
【００３９】
そして、各刃ユニット２の複数の刃２１Ａ〜２１Ｅのうち、最も回転順方向Ｒ１側に位置する刃２１Ｅの背部２２と当たり部２３とが成す角の角度θ５は、その他の刃２１Ｂ〜２１Ｅの背部２２と当たり部２３とが成す角度θ１〜θ４よりも大きく形成されている。これによって、刃２１Ｅの当たり部２３と第２傾斜部３２とを大きな曲率半径を有する弧状面で接続することができるので、刃２１Ｅの当たり部２３と第２傾斜部３２との接続部分への応力集中を緩和することができる。これによって、除草用回転刃１００の強度を高めることができる。
【００４０】
［使用例］
次に、除草用回転刃１００の使用例を説明する。
【００４１】
まず、除草用回転刃１００を刈払機１１０に装着し、回転順方向Ｒ１に除草用回転刃１００を回転させる。
【００４２】
そして、除草用回転刃１００を雑草等に押し当てながら除草作業を行う。除草用回転刃１００は高速で回転するので、除草用回転刃１００に接触する雑草等のうち多くは、回転軸線Ｌを中心とする径方向において内側まで入り込む前に、刃ユニット２の複数の刃２１Ａ〜２１Ｅのうち最も回転軸線Ｌを中心とする径方向外側に位置する刃２１Ａに接触し、切断される。
【００４３】
また、除草用回転刃１００を雑草等に強く押し当てながら除草作業を行うと、雑草等の比較的柔らかい切断対象物は、回転軸線Ｌを中心とする円周方向における第１傾斜部３１が延在する領域Ａ１においては、しなった状態で第１傾斜部３１に押し当てられ、第１傾斜部３１上を移動する。その後、切断対象物は、回転軸線Ｌを中心とする円周方向における第２傾斜部３２が延在する領域Ａ２においては、切断対象物がしなることによって生じる反発力によって、回転軸線Ｌを中心とする径方向内側に素早く入り込み、第２傾斜部３２上を移動する。そして、回転軸線Ｌを中心とする径方向内側に深く入り込んだ切断対象物は、刃２１Ａ〜２１Ｅの当たり部２３に接触し、切断される。
【００４４】
一方、木、石等の比較的硬い障害物は、回転軸線Ｌを中心とする円周方向における第１傾斜部３１が延在する領域Ａ１においては、第１傾斜部３１上を移動する。その後、障害物は、回転軸線Ｌを中心とする円周方向における第２傾斜部３２が延在する領域Ａ２において、回転軸線Ｌを中心とする径方向内側に素早く入り込む前に刃２１Ａ〜２１Ｅの当たり部２３に接触する。すなわち、木、石等の比較的硬い障害物は、第２傾斜部３２上を移動せずに、第１傾斜部３１の延長線上を移動し、刃２１Ａ〜２１Ｅの当たり部２３に接触する。よって、障害物が回転軸線Ｌを中心とする径方向内側に深く入り込み、例えば刃２１Ｅの当たり部２３に接触する障害物を低減することができる。
【００４５】
このように、第１傾斜部３１及び第２傾斜部３２を有する案内部３によって、木、石等の比較的硬い障害物が回転軸線Ｌを中心とする径方向内側に深く入り込み、例えば刃２１Ｅの当たり部２３に接触する障害物を低減しており、これによってこれら障害物の跳ね飛ばしを効果的に低減することができる。
【００４６】
そして、上述の通り、除草用回転刃１００に接触する雑草等のうち多くは、刃ユニット２の複数の刃２１Ａ〜２１Ｅのうち最も回転軸線Ｌを中心とする径方向外側に位置する刃２１Ａに接触するため、通常、刃２１Ａから順番に摩耗していく。刃２１Ａが摩耗すると、刃２１Ａの刃先２４は、回転軸線Ｌを中心とする径方向内側に縮んでいく。これによって、回転軸線Ｌを中心とする径方向において、徐々に隣り合う刃２１Ｂの刃先２４との段差が縮小し突出する。そして、除草用回転刃１００に接触する雑草等は、刃２１Ｂに接触するようになる。これによって、刃２１Ａが摩耗した場合はこれに代わって刃２１Ｂが雑草等を切断するので、除草用回転刃１００の切れ味の低下を防止することができる。このようにして、刃ユニット２の摩耗が進行しても、刃２１Ａから刃２１Ｅの刃先が順番に回転軸線Ｌを中心とする径方向外側に突出するので、除草用回転刃１００の切れ味の低下を長期に亘って防止することができる。
【００４７】
以上に説明したように、本考案の除草用回転刃１００は、使用によって、刃ユニット２の複数の刃２１Ａ〜２１Ｅのうち、一の刃の摩耗が進行すると、この刃の回転順方向Ｒ１側に隣り合う刃の刃先２４が次第に突出し、この刃によって雑草等を切断することができる。このように、摩耗した刃の回転順方向Ｒ１側に隣り合う刃の刃先２４が順番に突出するので、切れ味の低下を長期間に亘って防止することができる。
【００４８】
（実施の形態２）
図４は、実施の形態２に係る除草用回転刃２００の構成例を示す図である。
【００４９】
図４に示すように、本実施の形態において除草用回転刃２００は、各案内部３と、この案内部３の回転順方向Ｒ１側に位置する刃ユニット２との間に切り刃２０４が配設されている。切り刃２０４は、回転軸線Ｌにおいて径方向に延在している。
【００５０】
（実施の形態３）
図５は、実施の形態３に係る除草用回転刃３００の構成例を示す図である。
【００５１】
図５に示すように、本実施の形態において除草用回転刃３００は、各案内部３と、この案内部３の回転順方向Ｒ１側に位置する刃ユニット２との間に超硬チップ３０４が配設されている。
【００５２】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００５３】
Ｌ  回転軸線
Ｒ１  回転順方向
Ｒ２  回転逆方向
１  基部
２  刃ユニット
３  案内部
１１  中心孔
１２  外周縁
２１  刃
２２  背部
２３  当たり部
２４  刃先
３１  第１傾斜部
３２  第２傾斜部
１００  除草用回転刃
１１０  刈払機
【図１】
0003217662.tif 000003
【図２】
0003217662.tif 000004
【図３】
0003217662.tif 000005
【図４】
0003217662.tif 000006
【図５】
0003217662.tif 000007